(57)【要約】【課題】ＯＣＴの干渉信号を用いて観察用眼底正面画像と観察用断層画像生成する場合、操作者観察用の断層画像の更新レートを上げる。【解決手段】ＯＣＴにおいて、測定光を被検査物上で走査する走査手段と、前記被検査物上の走査範囲を前記測定光で走査する第１スキャンパターンと、前記被検査物の正面画像を構成するために前記走査範囲を前記測定光で走査する第２スキャンパターンとの何れかにて前記走査手段を制御する制御手段と、前記測定光に基づいて前記被検査物の断層画像を取得する取得手段と、前記第２スキャンパターンにより前記取得手段が得た複数の断層画像から前記被検査物の正面画像を構成する構成手段と、を配し、前記制御手段は、前記第２スキャンパターンを複数のスキャンパターンに分割し、前記分割された前記複数のスキャンパターン各々の間に前記第１スキャンパターンを前記走査手段に行わせる。【選択図】  図５
2015213644.tif 000002
【特許請求の範囲】
【請求項１】
測定光を被検査物上で走査する走査手段と、
前記被検査物上の走査範囲を前記測定光で走査する第１スキャンパターンと、前記被検査物の正面画像を構成するために前記走査範囲を前記測定光で走査する第２スキャンパターンとの何れかにて前記走査手段を制御する制御手段と、
前記第１スキャンパターンによる前記測定光に基づいて、前記被検査物の断層画像を取得する取得手段と、
前記第２スキャンパターンによる前記測定光に基づいて、前記被検査物の正面画像を構成する構成手段と、を有し、
前記制御手段は、前記第２スキャンパターンを複数のスキャンパターンに分割し、
前記分割された前記複数のスキャンパターン各々の間に前記第１スキャンパターンを前記走査手段に行わせることを特徴とする検査装置。
【請求項２】
前記制御手段は、前記第２スキャンパターンにおける前記測定光の走査ラインにおいて奇数ラインパターンと偶数ラインパターンとで前記第２スキャンパターンを分割することを特徴とする請求項１に記載の検査装置。
【請求項３】
前記制御手段は、前記第２スキャンパターンとして、前記走査範囲を複数のスキャン領域に分割し、前記走査手段に前記分割されたスキャン領域毎に断続的に前記測定光の走査を行わせることを特徴とする請求項１に記載の検査装置。
【請求項４】
前記制御手段は、前記第２スキャンパターンにおける前記測定光の走査ラインにおいて奇数ラインパターンと偶数ラインパターンとで更に第２スキャンパターンを分割することを特徴とする請求項２に記載の検査装置。
【請求項５】
前記構成手段は前記複数のスキャンパターン各々より得られる部分的な正面画像を合成して前記正面画像を構成し、保存する保存手段をさらに備え、
前記制御手段は合成された前記正面画像に不連続性が有ると判定された場合は前記走査手段に前記第２スキャンパターンによる前記測定光の走査を再度実行させることを特徴とする請求項１乃至４の何れか一項に記載の検査装置。
【請求項６】
被検査物に測定光を照射して前記被検査物上を第１スキャンパターンにて走査することで断層画像を取得する工程と、
前記被検査物上を第２スキャンパターンにて前記測定光を走査することで前記被検査物の正面画像を構成する工程と、を有し、
前記第２スキャンパターンは複数のスキャンパターンに分割されており、前記第１スキャンパターンによる前記断層画像の取得は前記分割された前記複数のスキャンパターン各々の間に行われることを特徴とする検査装置の制御方法。
【請求項７】
前記第２スキャンパターンは、前記第２スキャンパターンにおける前記測定光の走査ラインにおいて奇数ラインパターンと偶数ラインパターンとで分割されることを特徴とする請求項６に記載の検査装置の制御方法。
【請求項８】
前記第２スキャンパターンは、前記第２スキャンパターンを行う走査範囲を複数のスキャン領域に分割し、前記測定光を走査する際に前記分割されたスキャン領域毎に断続的に前記測定光の走査を行わせることを特徴とする請求項６に記載の検査装置の制御方法。
【請求項９】
前記第２スキャンパターンは、前記第２スキャンパターンにおける前記測定光の走査ラインにおいて奇数ラインパターンと偶数ラインパターンとで更に分割されることを特徴とする請求項８に記載の検査装置の制御方法。
【請求項１０】
前記正面画像は、前記複数のスキャンパターン各々より得られる部分的な正面画像を合成して構成され、
合成された前記正面画像に不連続性が有ると判定された場合は前記第２スキャンパターンによる前記測定光の走査を再度実行させることを特徴とする請求項６乃至９の何れか一項に記載の検査装置の制御方法。
【請求項１１】
請求項６乃至１０の何れか一項に記載の制御方法における各工程を、コンピュータに実行させるプログラム。
【請求項１２】
測定光を被検査物上で走査する走査手段と、
前記被検査物上の走査範囲を前記測定光で連続的に走査する第１スキャンパターンと、  前記走査範囲を前記測定光で非連続的に走査する第２スキャンパターンとの何れかにて前記走査手段を制御する制御手段と、
前記第１スキャンパターンによる前記測定光に基づいて、前記被検査物の断層画像を取得する取得手段と、
前記第２スキャンパターンによる前記測定光に基づいて、前記被検査物の正面画像を再構成する構成手段と、を有し、
前記制御手段は、前記第２スキャンパターンの走査が非連続となる間に前記第１スキャンパターンによる前記測定光による走査を行うことを特徴とする検査装置。
【請求項１３】
前記制御手段は前記第２スキャンパターンにおいて、前記走査範囲を分割すると共に分割された前記走査範囲の各領域を走査し終える毎に前記走査を停止することにより前記非連続となる間を生成することを特徴とする請求項１２に記載の検査装置。
【発明の詳細な説明】
【技術分野】
【０００１】
本発明は、検査装置、及びその制御方法に関し、特に眼科診療等に用いられる干渉光学系を有する眼科装置に例示される検査装置、及びその制御方法に関するものである。
【背景技術】
【０００２】
現在、光学機器を用いた眼科用機器として、様々なものが使用されている。
例えば、眼を観察する光学機器として、前眼部撮影機、眼底カメラ、共焦点レーザー走査検眼鏡（Ｓｃａｎｎｉｎｇ  Ｌａｓｅｒ  Ｏｐｈｔｈａｌｍｏｓｃｏｐｅ：ＳＬＯ）、等様々な機器が使用されている。
【０００３】
中でも、光干渉断層撮像装置（Ｏｐｔｉｃａｌ  Ｃｏｈｅｒｅｎｃｅ  Ｔｏｍｏｇｒａｐｈｙ：ＯＣＴ、以下ＯＣＴ装置と記す）は、試料の断層画像を高解像度に得る装置であり、眼科用機器として網膜の専門外来では必要不可欠な装置になりつつある。
上記ＯＣＴ装置は、低コヒーレント光をサンプルに照射し、そのサンプルからの反射光から得られた干渉光を用いることで、高感度で断層画像を得る装置である。また、ＯＣＴ装置は該低コヒーレント光を、該サンプル上にスキャンすることで、断層画像を高解像度に得ることができる。そのため、被検眼の眼底における網膜の断層画像を高解像度に撮像することも可能であることから、網膜の眼科診断等において広く利用されている。
【０００４】
また、ＯＣＴ装置に眼底観察用のＳＬＯ装置を組み合わせた構成の装置がある。該ＯＣＴ装置は、観察用画面に観察用の眼底正面画像と観察用の断層画像とを操作者に提示し、操作者はこれらの観察用画像を見ながら例えば、診断用の断層画像撮影のためのフォーカスや、網膜上の撮影位置などの調整を行う（特許文献１参照）。
【０００５】
また、ＯＣＴ装置によって得られた干渉信号のスペクトル強度に基づいて、眼底の正面画像を生成する手法が特許文献２等に開示されている。
【先行技術文献】
【特許文献】
【０００６】
【特許文献１】特開２００９−１６０１９０号公報
【特許文献２】特開２０１１−２１５１３４号公報
【発明の概要】
【発明が解決しようとする課題】
【０００７】
しかし、ＳＬＯ画像の代わりにＯＣＴの干渉信号を用いて観察用の眼底正面画像を生成した場合は、特許文献１の操作者観察用の断層画像の更新レートは低下し、操作性は悪くなると言う課題があった。また、特許文献２に開示される手法においても同様であり、観察用の眼底正面画像の更新レートの向上が望まれている。
【０００８】
本発明は上記課題に鑑みてなされたものであり、ＳＬＯ等の構成を付加することなく観察用の正面画像を生成するＯＣＴ装置での断層画像の更新レートを向上させることを目的とする。
【課題を解決するための手段】
【０００９】
上記課題を解決するために、本発明に係る検査装置は、測定光を被検査物上で走査する走査手段と、
前記被検査物上の走査範囲を前記測定光で走査する第１スキャンパターンと、前記被検査物の正面画像を構成するために前記走査範囲を前記測定光で走査する第２スキャンパターンとの何れかにて前記走査手段を制御する制御手段と、
前記第１スキャンパターンによる前記測定光に基づいて、前記被検査物の断層画像を取得する取得手段と、
前記第２スキャンパターンによる前記測定光に基づいて、前記被検査物の正面画像を構成する構成手段と、を有し、
前記制御手段は、前記第２スキャンパターンを複数のスキャンパターンに分割し、
前記分割された前記複数のスキャンパターン各々の間に前記第１スキャンパターンを前記走査手段に行わせることを特徴とする。
【発明の効果】
【００１０】
本発明によれば、ＯＣＴの干渉信号を用いて観察用の正面画像を生成しながら観察用の断層画像の生成する際に、観察用の断層画像の更新レートを上げることができる。
【図面の簡単な説明】
【００１１】
【図１】本発明の第１の実施形態に係る眼科装置及び該眼科装置における画像処理部の機能構成を示すブロック図である。
【図２】本発明の第１の実施形態に係るデータ取得部の光学構成を示す概略図及び得られる画像を例示する図である。
【図３】本発明の第１の実施形態に係る眼底正面画像の生成方法を説明する図である。
【図４】本発明の実施形態の一例に係る観察用画面を示す図である。
【図５】第１の実施形態に係るシステム動作を説明するためのフローチャートである。
【図６】第２の実施形態に係るシステム動作を説明するためのフローチャートである。
【図７】本発明の実施形態に係るスキャンパターンの分割方法を説明する図である。
【発明を実施するための形態】
【００１２】
以下、図面を参照して本発明の実施形態について説明する。
【００１３】
〔１〕第１の実施形態
以下、図面を参照しながら、本発明の第１の実施形態について説明する。なお、本実施形態に係る眼科装置は、眼底正面画像を生成する為の測定光の走査（第２スキャンパターン）を二分割して行うこととし、分割された走査の間に観察用の断層画像を得るための測定光の走査（第１スキャンパターン）を行う例を示している。
【００１４】
以下、添付の図面を参照して本発明の好適な一実施形態を説明する。図１（ａ）は本実施形態による眼科装置の構成を示すブロック図である。
【００１５】
該眼科装置は、データ取得部１１０、画像処理部１２０、及び表示部１３０を有する。データ取得部１１０は、測定光を被検眼Ｅｒ上で走査及び撮像することにより画像データを取得する。画像処理部１２０は、データ取得部１１０で取得された画像データから被検眼Ｅｒの眼底画像を生成する。表示部１３０は、画像処理部１２０で生成された被検眼の眼底画像を表示する。なお、ここで述べた眼底画像は、以降で述べる被検眼眼底の正面画像と断層画像とを含む。
【００１６】
まずデータ取得部１１０の構成について説明する。
【００１７】
＜＜データ取得部１１０の説明＞＞
図２（ａ）はデータ取得部１１０の光学構成を模式的に示したものである。被検眼Ｅｒに対向して対物レンズ１が設置され、その光軸上に第１ダイクロイックミラー２および第２ダイクロイックミラー３が配置されている。これらのダイクロイックミラーによって、波長帯域ごとにＯＣＴ光学系の光路Ｌ１、被検眼Ｅｒの固視を促す為の固視灯用の光路Ｌ２、および前眼部観察用の光路Ｌ３に、光路が分岐される。
【００１８】
固視灯用の光路Ｌ２上には、レンズ４及び５、及び固視灯６が配置される。レンズ４は固視灯の焦点合わせのため、不図示のモータによって駆動される。固視灯６は可視光を発生して被検者の固視を促すものである。
【００１９】
前眼部観察用の光路Ｌ３上には、レンズ７、スプリットプリズム８、レンズ９、及び前眼部観察用のＣＣＤ１０が配置されている。このＣＣＤ１０は、不図示の前眼部観察用光源の波長、具体的には９７０ｎｍ付近に感度を持つものである。
【００２０】
スプリットプリズム８は、被検眼Ｅｒの瞳孔と共役な位置に配置されており、被検眼Ｅｒとデータ取得部１１０とのＺ方向（前後方向）の距離を、前眼部のスプリット像として検出することができる。
【００２１】
被検眼Ｅｒの画像データを撮像する為のＯＣＴ光学系の光路Ｌ１上には、ＸＹスキャナ１１、フォーカスレンズ１２、１３が配置されている。ＯＣＴ走査手段としてのＸＹスキャナ１１はＯＣＴ光源１４からの光を被検眼上Ｅｒで走査するためのものである。ＸＹスキャナ１１は１枚のミラーとして図示してあるが、ＸＹ２軸方向の走査を行う２枚のガルバノミラーである。本実施形態では、該ＸＹスキャナ１１は測定光を被検査物上で走査する走査手段に対応する。
【００２２】
レンズ１２は、ファイバー１５から出射するＯＣＴ光源１４からの光を、被検眼Ｅｒに焦点合わせするためのものであり、不図示のモータによって駆動される。この焦点合わせによって、被検眼Ｅｒからの戻り光は同時にファイバー１５の先端に、スポット状に結像されて入射されることとなる。
【００２３】
更に、ＯＣＴ光学系は、光カプラー１９、ＯＣＴ光源１４、光ファイバー１５、１６、１７、１８、レンズ２０、分散補償用ガラス２１、参照ミラー２２、及び分光器２３を有している。
【００２４】
光ファイバー１６を介してＯＣＴ光源１４から出射された光は、測定光と参照光に光カプラー１９にて分割される。測定光は光ファイバー１５から射出され、ＯＣＴ光学系の光路Ｌ１から対物レンズ１までの光学部材を通じて被検眼Ｅｒに向けて導かれる。この被検眼Ｅｒに向けて出射された測定光は被検眼Ｅｒにて反射散乱し、同じ光路を通じて再び光カプラー１９に達する。
【００２５】
一方参照光は、光ファイバー１７を通じて、レンズ２０及び分散補償用ガラス２１を介して参照ミラー２２に向けて出射される。参照ミラー２２から反射した参照光は、同じ光路を通じて再び光カプラー１９に達する。
【００２６】
このようにして光カプラー１９に達した測定光と参照光とは合波され干渉光となる。ここで、測定光の光路長と参照光の光路長とがほぼ同一となったときに干渉を生じる。参照ミラー２２は、不図示のモータおよび駆動機構によって光軸方向に位置の調整可能に保持され、被検眼Ｅｒによって変わる測定光の光路長に参照光の光路長を合わせることが可能である。干渉光は光ファイバー１８を介して分光器２３に導かれる。
【００２７】
分光器２３はレンズ２４、２６、回折格子２５、及びラインセンサー２７から構成される。光ファイバー１８から出射された干渉光はレンズ２４を介して平行光となった後、回折格子２５で分光され、レンズ２６によってラインセンサー２７上に結像される。ラインセンサー２７は受光データを２０マイクロ秒ごとに画像処理部１２０へ送信する。
【００２８】
本実施形態では干渉系としてマイケルソン干渉系を用いたが、マッハツェンダー干渉系を用いても良い。測定光と参照光との光量差に応じて、光量差が大きい場合にはマッハツェンダー干渉系を、光量差が比較的小さい場合にはマイケルソン干渉系を用いることが望ましい。
【００２９】
なお、本発明は、本実施形態以外の光学配置や装置構成にも適用可能である。例えば、本実施形態はフーリエドメイン方式（ＦＤ：Ｆｏｕｒｉｅｒ Ｄｏｍａｉｎ）のＯＣＴ装置のうち、スペクトラルドメイン方式（ＳＤ：Ｓｐｅｃｔｒａｌ Ｄｏｍａｉｎ）のＯＣＴ装置であるが、本発明を他の方式のＯＣＴ装置にも適用してもよい。特に、本発明は波長掃引光源を用いたスウェプトソース方式（ＳＳ：Ｓｗｅｐｔ Ｓｏｕｒｃｅ）のＯＣＴ装置にも適用可能である。
【００３０】
＜＜画像処理部の説明＞＞
次に画像処理部１２０について説明する。
【００３１】
図１（ｂ）は画像処理部１２０の構成を示したものである。
【００３２】
画像処理部１２０は、画像生成部１２１、記憶部１２２及び制御部１２３から構成されている。
【００３３】
制御部１２３はＸＹスキャナ１１に走査制御信号を送り、測定光にて被検眼Ｅｒ上をＸ方向、Ｙ方向に走査する。さらに、制御部１２３はフォーカスレンズ４、フォーカスレンズ１２及び参照ミラー２２の位置制御もする。該制御部１２３は、本実施形態において、眼底の断層画像を得るために眼底上の走査範囲を測定光で走査する第１スキャンパターンと、眼底の正面画像を構成するために走査範囲を測定光で走査する第２スキャンパターンとの何れかにてＸＹスキャナ１１を制御する制御手段に対応する。
【００３４】
画像生成部１２１は、データ取得部１１０のラインセンサー２７、及び画像処理部１２０内の記憶部１２２と接続されている。この断層画像を生成するための一連の構成は、本実施形態において、眼底に照射された測定光に基づいて眼底の断層画像を得る取得手段に対応する。
【００３５】
また画像生成部１２１はラインセンサー２７から得られるデータをフーリエ変換し、得られるデータを輝度或いは濃度情報に変換することによって被検眼の深さ方向（Ｚ方向）の画像を取得する。このようなスキャン方式をＡスキャンと呼び、得られる断層画像をＡスキャン画像と呼ぶ。画像生成部１２１の画像処理に要する時間は２０マイクロ秒以下である。ラインセンサー２７のデータは２０マイクロ秒ごとに送信されるため、画像生成部１２１が画像処理を行っている間にラインセンサー２７で次のデータを取得すれば、Ａスキャンを２０マイクロ秒ごとに行うことができる。
【００３６】
このＡスキャンを行う測定光を、被検眼Ｅｒの眼底上の所定の横断方向にＸＹスキャナ１１にて走査することによって、複数のＡスキャン画像を取得することができる。例えばＸ方向に走査すればＸＺ面における断層画像が得られ、Ｙ方向に走査すればＹＺ面における断層画像が得られる。このように測定光を被検眼Ｅｒ上で所定の横断方向に走査するスキャン方式をＢスキャンと呼び、得られる断層画像をＢスキャン画像と呼ぶ。
【００３７】
このＢスキャンを被検眼Ｅｒ上の所定の方向でＸＹスキャナ１１にて繰り返すことによって、複数のＢスキャン画像を取得することができる。例えば、ＸＺ面のＢスキャンをＹ方向に繰り返すことで、ＸＹＺ空間の３次元情報を得ることができる。このようなスキャン方式をＣスキャンと呼び、得られた複数のＢスキャン画像から成るデータを３次元データと呼ぶ。この３次元データから後述する方法で被検眼Ｅｒの眼底の正面画像を取得することができる。これをＣスキャン画像と呼ぶ。眼底正面画像の生成方法は、後述する。
【００３８】
記憶部１２２は画像生成部１２１及び表示部１３０と接続され、画像生成部１２１により生成されたＢスキャン画像、３次元データ、及び眼底正面画像を記憶する。
【００３９】
表示部１３０は記憶部１２２に記憶されたＢスキャン画像及び眼底正面画像、及びＣＣＤ１０により取得された前眼部画像を表示する。表示部１３０の表示例を図４に示す。図４の詳細説明は、後述する。
【００４０】
＜＜疑似ＳＬＯの作り方＞＞
次に３次元データから眼底正面画像を生成する方法について図３を用いて説明する。
【００４１】
Ｃスキャンによって得られる３次元データは複数のＢスキャン画像から構成されており、各Ｂスキャン画像は複数のＡスキャン画像から構成されている。すなわち、３次元データはＸＹ方向の複数のＡスキャン画像から構成されている。各Ａスキャン画像は被検眼眼底上の一点における深さ方向の断層画像であり、図３（ａ）に示すように深さ方向の複数の輝度情報から構成されている。例えば本装置では１０２４個の画素を持つラインセンサー２７を用いており、フーリエ変換後のＡスキャン画像Ａｉは１０２４個の輝度情報から構成されている。ここでＰ０は深さ方向の一番浅い部分の輝度情報を示しており、Ｐ１０２３は深さ方向の一番深い部分の輝度情報を示している。本眼科装置は、これら複数の輝度情報の中から一つの輝度情報を選択抽出することにより、被検眼眼底上の一点における代表的な強度信号を得る。以下にその方法を詳述する。
【００４２】
まず本眼科装置は、図３（ｂ）に示すようにＡスキャン画像の輝度情報を輝度の大きい順に並べ替えを行う。ここで、Ｒ０は最も明るい輝度情報を持つ画素であり、Ｒ１０２３は最も暗い輝度情報を持つ画素である。
【００４３】
そして本眼科装置は、所定順位の画素Ｒｘを選択する。ここで所定順位の画素とは、輝度情報の大きい順に並べ替えた後、先頭からｘ番目に位置している画素のことである。網膜の断層画像は殆どが暗い画素で構成されているため、ｘは総画素数の半分よりも高順位に位置している画素であることが望ましい。例えば総画素数１０２４個のＡスキャン画像を用いる場合、上位１０％の位置に相当する先頭から１０２番目の画素を所定順位の画素Ｒｘとして選択することで、強度画像に好適な輝度情報を得ることができる。
【００４４】
本眼科装置は所定順位の画素Ｒｘの輝度情報を、そのＡスキャン画像における強度情報として決定する。そして、全てのＡスキャン画像に対して強度情報を決定することで、被検眼Ｅｒ上の異なる各点における強度情報を得ることができる。それらの強度情報を二次元画像として再構成することで眼底正面画像を得ることができる。
【００４５】
＜＜生成された眼底画像の説明＞＞
図２（ｂ）は、画像処理部１２０により生成される眼底画像を説明する図である。同図において、２１０は被検眼Ｅｒの眼底正面画像、２１１はデータ取得部１１０により得られる網膜の断層画像の例を示す。２１２は、水平スキャンの方向を示している。垂直スキャン方向は２１３で表している。Ａスキャンの奥行き方向は２１４で表し、Ａスキャンにより得られたデータ配列を２１５で示している。
【００４６】
断層画像２１１を再構成するため、データ取得部１１０はＸＹスキャナ１１のガルバノミラーを主走査方向（ここでは水平方向）に移動しながら、画像処理部１２０がＡスキャンのデータ２１５を一本ずつ再構成して１枚の断層画像２１１を構成する。断層画像２１１はＢスキャン画像と呼ばれ、網膜に対する奥行き方向とそれに直交する方向の２次元の断面である。すなわち、図２（ｂ）において示すＸ軸２１２およびＺ軸２１４で規定される平面に相当する面内の画像である。また、２１６の点線は断層画像２１１の眼底での撮影位置を示している。被検眼の眼底正面画像２１０は、前述した手法により、画像生成部１２１が網膜の断層画像を元に生成する。
【００４７】
この眼底正面画像は、他の眼底カメラ、ＳＬＯで得られる眼底画像と類似した画像であり、当該画像により疑似的に眼底表面を可視化することが可能である。また、複数の輝度情報の中から１つの輝度情報のみを選択的に取得するため、Ａスキャン画像に含まれるノイズ成分に左右されることなく好適な平面画像を得ることが可能である。ただし、本実施形態で適用できる眼底正面画像再構成方法は、こちらで説明している方法に限らない。たとえば、Ａスキャンの画素について、深さ方向での輝度の平均値を計算し、これを眼底正面画像の一点の画素として利用する、更には、断層画像から正面画像を構成するのではなく干渉光の強度を抽出して直接正面画像を構成する、等その他の方法でも良い。
【００４８】
以上説明したデータ取得部１１０、画像処理部１２０、表示部１３０から構成される眼科装置において、観察から撮影までの流れを次に説明する。
【００４９】
まず観察画面について図４を用いて説明する。図４は観察時に表示部１３０に表示される観察画面４００を示したものである。観察画面４００には、前眼部画像４１０、眼底正面画像４０１、断層画像４０２、４０３、４０４、４０５、フォーカス調整スライダー４０８、参照ミラー位置調整スライダー４０７、測定開始ボタン４０６が表示される。眼底正面画像４０１中に示される点線４０９は、断層画像４０２、４０３、４０４、４０５の眼底上でのスキャン位置を示す。
【００５０】
操作者が前眼部画像４１０を観察しながら対物レンズ１の正面に被検眼Ｅｒを位置させたあと、眼底上でのＸＹスキャナ１１による測定光のＸＹ方向の走査により断層画像が生成される。操作者は眼底正面画像４０１、断層画像４０２、４０３、４０４、４０５を観察しながら不図示のマウスやマウスカーソルを用いてフォーカス調整スライダー４０８及び参照ミラー位置調整スライダー４０７、を操作して断層画像のフォーカス（フォーカスレンズ１２、４の位置）や、参照ミラー２２の位置などを調整する。これら断層画像と眼底正面画像は適宜更新される。
【００５１】
更に眼底正面画像４０１中のスキャンライン４０９は断層画像の取得時に走査される走査位置を示したものであり、眼底正面画像４０１に重畳されている。撮影者はこのスキャンライン４０９をマウスやタッチパネル等の図示なき走査位置変更手段を操作し、所望の走査位置を設定する。
【００５２】
本実施形態では、断層画像４０２、４０３、４０４、４０５のような観察断層画像の撮影用スキャンは第１スキャンパターンと呼ぶ。また、眼底正面画像の撮影用のＣスキャンは、第２スキャンパターンと呼ぶ。
【００５３】
＜＜観察のｆｌｏｗｃｈａｒｔ＞＞
次に、図５に示すフローチャートを用いて、本実施形態の眼科装置による観察画面４００の更新処理を説明する。本実施形態では、眼底正面画像の撮影用スキャンを、奇数ラインと偶数ラインに分ける。図７（ａ）はその一つの例を示す。図７（ａ）が示すように、奇数ラインの眼底正面画像はラインＬ１、Ｌ３、…、Ｌ１９で構成される。偶数ラインの眼底正面画像は、ラインＬ２，Ｌ４、…、Ｌ２０で構成される。
【００５４】
＜ステップＳ５００＞
ステップＳ５００で制御部１２３はＯＣＴ走査手段であるＸＹスキャナ１１を制御し、ＸＹスキャナ１１は眼底正面画像を生成する為のＣスキャンを行う。ここでは、眼底正面画像用のＣスキャンは、第２スキャンパターンとして前述した奇数ラインでの撮影を実行する。画像生成部１２１は、Ｃスキャンの奇数ラインでの走査によって得られた干渉信号をラインセンサー２７から取得し、該奇数ラインの眼底正面画像を生成する。画像生成部１２１はその奇数ラインの眼底正面画像を記憶部１２２へ送り、記憶部１２２は奇数ラインの眼底正面画像を記憶する。さらに、記憶部１２２にすでに偶数ラインの眼底正面画像が記録されている場合は、画像生成部１２１は記憶部１２２からその偶数ラインの眼底正面画像を読み込み、奇数ラインの眼底正面画像と偶数ラインの眼底正面画像とを組み合わせて一つの眼底正面画像を生成する。そして、画像生成部１２１は眼底正面画像を記憶部１２２へ送り、記憶部１２２はその眼底正面画像を記憶する。
【００５５】
＜ステップＳ５１０＞
ステップＳ５１０で、制御部１２３はＸＹスキャナ１１を制御し、ＸＹスキャナ１１はＸ方向の観察用Ｂスキャンを行う。観察画面４００の眼底正面画像４０１に示される点線４０９に沿った位置のＢスキャンを行い、観察断層画像４０２、４０３、４０４、４０５を取得する為の第１スキャンパターンの測定光による被検査物である眼底上の走査を行う。
【００５６】
画像生成部１２１は、観察用Ｂスキャンによって得られた干渉信号をラインセンサー２７から取得し、観察用断層画像を生成する。画像生成部１２１は更にその観察用断層画像を記憶部１２２へ送り、記憶部１２２は該観察用断層画像を記憶する。本実施形態の第１スキャンパターンは、観察用断層画像４０２、４０３、４０４、４０５各々の分のスキャンを含む。
【００５７】
＜ステップＳ５２０＞
ステップＳ５２０で、記憶部１２２は記憶されている眼底正面画像と観察用の断層画像を表示部１３０へ送り、表示部１３０は図４に示す観察画面４００を更新する。
【００５８】
＜ステップＳ５３０＞
ステップＳ５３０で、制御部１２３はＸＹスキャナ１１を制御し、該ＸＹスキャナ１１は眼底正面画像を生成する為のＣスキャン、すなわち第２スキャンパターンの測定光の走査として、偶数ラインのスキャンを行う。画像生成部１２１は、Ｃスキャンの偶数ラインでの実行によって得られた干渉信号をラインセンサー２７から取得し、該偶数ラインの眼底正面画像を生成する。画像生成部１２１はその偶数ラインの眼底正面画像を記憶部１２２へ送り、記憶部１２２は偶数ラインの眼底正面画像を記憶する。さらに、記憶部１２２にすでに奇数ラインの眼底正面画像が記録されている場合は、画像生成部１２１は記憶部１２２からその奇数ラインの眼底正面画像を読み込み、奇数ラインの眼底正面画像と偶数ラインの眼底正面画像とを組み合わせて一つの眼底正面画像を生成する。そして、画像生成部１２１は眼底正面画像を記憶部１２２へ送り、記憶部１２２は眼底正面画像を記憶する。
【００５９】
＜ステップＳ５４０＞
ステップＳ５４０で、制御部１２３はＸＹスキャナ１１を制御し、ＸＹスキャナ１１は観察用のＸ方向のＢスキャンを行う。ステップＳ５４０はステップＳ５１０と同じであるので、ここでの説明は省略する。
【００６０】
＜ステップＳ５５０＞
ステップＳ５５０で、表示部１３０に表示される観察画面４００を更新する。ステップＳ５５０はステップＳ５２０と同じであるので、ここでの説明は省略する。
【００６１】
＜ステップＳ５６０＞
ステップＳ５６０で、制御部１２３は、操作者の操作を取得して、データ取得部１１０の制御を行う。操作者がフォーカス調整スライダー４０８を操作する時に、制御部１２３はその操作に合わせてフォーカスレンズ４とフォーカスレンズ１２の位置を変更する。操作者は参照ミラー位置調整スライダー４０７を操作する時に、制御部１２３はその操作に合わせて参照ミラー２２の位置を変更する。操作者が観察用断層画像の走査位置を変更した場合はその操作を制御部１２３は検知し、その操作に合わせてＸＹスキャナ１１による測定光の網膜上のスキャン位置を変更する。さらに、制御部１２３は、操作者が測定開始ボタン４０６を押したかどうかの判断をする。
【００６２】
＜ステップＳ５７０＞
ステップＳ５７０で、制御部１２３は、操作者が測定開始ボタン４０６を押していないと判断した場合、フローをステップＳ５００へ戻し、観察画面４００の更新を再び行う。制御部１２３は、操作者が測定開始ボタン４０６を押したと判断した場合は、観察画面４００の観察撮影と観察画面の更新を中止し、フローをステップＳ５８０へ進ませる。
【００６３】
＜＜疑似ＳＬＯを保存、ｉｎｔｅｒｌａｃｅ縞がある場合は、取り直し＞＞
【００６４】
＜ステップＳ５８０＞
ステップＳ５８０で、制御部１２３はステップＳ５２０やステップＳ５５０で生成された眼底正面画像を、記憶部１２２に記憶する。この際に、生成された眼底正面画像に縞模様ができているかどうかを調べる。眼底正面画像の奇数ラインと偶数ラインの撮影の間に被検眼が動いた、または瞬きがあった場合には出来あがった眼底正面画像に縞（不連続的な模様）が発生する。本実施形態では、眼底正面画像の奇数ラインと偶数ラインを比較して、ある程度のずれが起こった場合（たとえば５画素のずれ）に、その眼底正面画像を不採用にする。瞬きを検出する為に眼底正面画像全体または一部の画素の平均値を閾値と比較して、（たとえば画素値は０から２５５の範囲であれば、閾値は２５にする）閾値より小さければ瞬きが起こったと判断して、その眼底正面画像を不採用にする。
【００６５】
即ち、眼底正面画像を構成する構成手段として機能するモジュール領域は、複数のスキャンパターン各々より得られる部分的な正面画像を合成して正面画像を構成する。また、保存手段たる記憶部１２２は、当該正面画像を保存する。また、保存に際して、制御手段は合成された正面画像に不連続性が有るか否か判定し、有ると判定された場合は再度第２スキャンパターンによる測定光の眼底上走査を再度実行させる。
【００６６】
ステップＳ５２０とステップＳ５５０の両方の眼底正面画像が不採用になった場合は、制御部１２３は再びデータ取得部１１０を制御し、新たなＣスキャン撮影を行う。この際に、奇数ラインと偶数ラインに分けるのではなく、連続的にスキャンを行う。そして画像生成部１２１はその眼底正面画像を生成する。なお、不連続性の無い眼底正面画像を生成するために、その他の方法、たとえば、再Ｃスキャン撮影を行わず、奇数ラインと偶数ラインを同じにするために偶数ラインを奇数ラインで置き換える、等の方法でも良い。
【００６７】
本実施形態では、眼底正面画像を記憶部１２２に保存したが、その他の記憶方法や媒体、たとえば、不図示の外部記録装置に保存しても良い。
【００６８】
以上、観察画面の更新処理を終了する。ここでは詳細な説明を省略するが、観察画像の更新が終了すると、被検眼の測定、つまりより密で詳細な断層画像の撮影が開始されることとしても良い。
【００６９】
なお、上記のステップＳ５２０とステップＳ５５０ではそれぞれ眼底正面画像を半分ずつ更新する例を説明した。しかし本発明はそれに限らない。たとえば、ステップＳ５２０で眼底正面画像を更新せず、ステップＳ５５０で眼底正面画像全体を更新する方法など、も良い。
【００７０】
なお、上記のステップＳ５００やステップＳ５３０では、それぞれ奇数ラインの眼底正面画像、及び偶数ラインの眼底正面断層画像を生成することとし、その後全体の眼底正面画像を生成している。しかし眼底正面画像の生成方式はそれに限らず、たとえば、奇数ラインと偶数ラインの干渉信号をまとめて眼底全体のＣスキャンの干渉信号にしてから全体の眼底正面画像を生成しても良い。
【００７１】
なお、上記ステップＳ５１０やステップＳ５４０では、ＸＹスキャナ１１はＸ方向の観察用のＢスキャンを行うと説明したが、Ｘ方向に限らずＹ方向や、斜め方向、サークル等によってｗ観察用Ｂスキャンを行うことでも良い。
【００７２】
以上述べた眼底正面画像を生成する画像生成部１２１等からなる構成は、本実施形態において第２スキャンパターンにより取得手段が得た複数の断層画像から眼底の正面画像を構成する構成手段に対応する。また、本実施形態において、制御部１２３は、第２スキャンパターンを複数のスキャンパターンに分割し、且つ分割された複数のスキャンパターン各々の間に第１スキャンパターンを走査手段に行わせる制御手段に対応する。本実施形態では、該制御手段は、第２スキャンパターンにおける測定光の走査ラインにおいて奇数ラインパターンと偶数ラインパターンとで第２スキャンパターンを分割する。また、当該態様において、第１スキャンパターンは走査領域内を連続的に走査するスキャンパターンであり、第２スキャンパターンは走査範囲を測定光で非連続的に走査するスキャンパターンとしても把握可能である。この場合、制御手段は、第２スキャンパターンの走査が非連続となる間の走査停止のタイミングにて第１スキャンパターンによる測定光の眼底上走査を実行させる。そして第２スキャンパターンにおいて、走査範囲を分割すると共に分割された走査範囲の各領域を走査し終える毎にスキャンを停止することにより非連続となる間を生成する。
【００７３】
以上の構成によって、観察用断層画像の更新は、眼底正面画像の更新の２倍のレートで行われる。例として、本実施形態では眼底正面画像の解像度は１２８×１２８画素とすると、第２スキャンパターンは１２８個のＢスキャン、各Ｂスキャンは１２８個のＡスキャンからなる３Ｄスキャンで構成される。さらに、第１スキャンパターンについては４枚の観察用断層画像からなり、これらは各２５６個のＡスキャンで構成される。本実施形態では５００００Ａスキャン/秒の速度でＡスキャンが生成するデータ取得装置と仮定すると、本実施形態での眼底正面画像の更新レートは約２．７ｆｐｓになり、観察断層画像の更新レートは約５．４ｆｐｓになる。操作者は主に観察断層画像を観察しながらデータ取得部１１０の操作を行うので、操作者はより快適に走査を行うという効果が得られる。
【００７４】
〔２〕第２の実施形態 
第１の実施形態においては、眼底正面画像の第２スキャンパターンを奇数ラインと偶数ラインに分けて、奇数ライン撮影と偶数ライン撮影のそれぞれの後に観察断層画像用の第１スキャンパターンを行うこととした。該実施形態では、これにより観察断層画像の更新レートを、眼底正面画像の更新レートの２倍にしている。本実施形態では、眼底正面画像の第２スキャンパターンを領域ごとに分けて、さらに観察断層画像の更新レートを上げる方法を説明する。
【００７５】
本実施形態に係る眼科装置は第１の実施形態と同じなので、説明を省略する。図６に示すフローチャートを用いて、本実施形態の眼科装置による観察画面４００の更新処理を説明する。本実施形態では、眼底正面画像の撮影用スキャンを、図７（ｂ）が示すように、４つの領域（Ｒ１、Ｒ２、Ｒ３、Ｒ４）に分ける。一つの眼底正面画像は領域Ｒ１、Ｒ２、Ｒ３、及びＲ４で構成される。即ち、本実施形態では、第２スキャンパターンとして、走査範囲を複数のスキャン領域に分割し、ＸＹスキャナ１１に分割されたスキャン領域毎に断続的に測定光の走査を行わせる。
【００７６】
＜ステップＳ６００＞
ステップＳ６００で、制御部１２３はＸＹスキャナ１１を制御し、ＸＹスキャナ１１は眼底正面画像を生成する為のＣスキャンにより第一の領域Ｒ１のＡスキャンデータの取得であるＣスキャン取得Ａなる工程を行う。ここで、眼底正面画像用のＣスキャン取得Ａは、第２スキャンパターンの上位４分の１（領域Ｒ１）の輝度データを取得し正面画像を撮影する。画像生成部１２１は、Ｃスキャン取得Ａによって得られた干渉信号をラインセンサー２７から取得し、上位４分の１の領域の眼底正面画像を生成する。
【００７７】
制御部１２３は上位４分の１の眼底正面画像を記憶部１２２へ送り、記憶部１２２は、上位４分の１の眼底正面画像を記憶する。さらに、記憶部１２２にすでに残りの４分の３の眼底正面画像が記録されている場合は、画像生成部１２１は記憶部１２２からその残りの眼底正面画像を読み込み、全体の眼底正面画像を生成する。そして、画像生成部１２１は眼底正面画像を記憶部１２２へ送り、記憶部１２２は眼底正面画像を記憶する。
【００７８】
＜ステップＳ６０５＞
ステップＳ６０５で制御部１２３はＸＹスキャナ１１を制御し、ＸＹスキャナ１１は測定光にて眼底上で観察用Ｂスキャンを行う。ステップＳ６０５はステップＳ５１０と同じであるので、ここでの説明は省略する。
【００７９】
＜ステップＳ６１０＞
ステップＳ６１０で表示部１３０に表示された観察画面４００を更新する。ステップＳ６１０はステップＳ５２０と同じであるので、ここでの説明は省略する。
【００８０】
＜ステップＳ６１５＞
ステップＳ６１５で、制御部１２３はＸＹスキャナ１１を制御し、ＸＹスキャナ１１は眼底正面画像を生成する為のＣスキャンにより第二の領域Ｒ２のＡスキャンデータの取得であるＣスキャン取得Ｂなる工程を行う。ここで、眼底正面画像用のＣスキャン取得Ｂは、第２スキャンパターンの中位４分の１（領域Ｒ２）の輝度データを取得して正面画像を撮影する。画像生成部１２１は、Ｃスキャン取得Ｂによって得られた干渉信号をラインセンサー２７から取得し、領域Ｒ２の眼底正面画像を生成する。
【００８１】
制御部１２３は領域Ｒ２の眼底正面画像を記憶部１２２へ送り、記憶部１２２は領域Ｒ２の眼底正面画像を記憶する。さらに、記憶部１２２にすでに残りの４分の３の眼底正面画像が記録されている場合は、画像生成部１２１は記憶部１２２からその残りの眼底正面画像を読み込み、全体の眼底正面画像を生成する。そして、画像生成部１２１は眼底正面画像を記憶部１２２へ送り、記憶部１２２は眼底正面画像を記憶する。
【００８２】
＜ステップＳ６２０＞
ステップＳ６２０で制御部１２３はＸＹスキャナ１１を制御し、ＸＹスキャナ１１は測定光にて眼底上で観察用Ｂスキャンを行う。ステップＳ６２０はステップＳ５１０と同じであるので、ここでの説明は省略する。
【００８３】
＜ステップＳ６２５＞
ステップＳ６２５で表示部１３０に表示された観察画面４００を更新する。ステップＳ６２５はステップＳ５２０と同じであるので、ここでの説明は省略する。
【００８４】
＜ステップＳ６３０＞
ステップＳ６３０で制御部１２３はＸＹスキャナ１１を制御し、ＸＹスキャナ１１は眼底正面画像を生成する為のＣスキャンにより第三の領域Ｒ３のＡスキャンデータの取得であるＣスキャン取得Ｃなる工程を行う。ここで、眼底正面画像用のＣスキャン取得Ｃは、第２スキャンパターンの中位４分の１（領域Ｒ３）の輝度データを取得して正面画像を撮影する。画像生成部１２１は、Ｃスキャン取得Ｃによって得られた干渉信号をラインセンサー２７から取得し、領域Ｒ３の眼底正面画像を生成する。
【００８５】
制御部１２３は領域Ｒ３の眼底正面画像を記憶部１２２へ送り、記憶部１２２は領域Ｒ３の眼底正面画像を記憶する。さらに、記憶部１２２にすでに残りの４分の３の眼底正面画像が記録されている場合は、画像生成部１２１は記憶部１２２からその残りの眼底正面画像を読み込み、全体の眼底正面画像を生成する。そして、画像生成部１２１は眼底正面画像を記憶部１２２へ送り、記憶部１２２は眼底正面画像を記憶する。
【００８６】
＜ステップＳ６３５＞
ステップＳ６３５で制御部１２３はＸＹスキャナ１１を制御し、ＸＹスキャナ１１は測定光にて眼底上で観察用Ｂスキャンを行う。ステップＳ６３５はステップＳ５１０と同じであるので、ここでの説明は省略する。
【００８７】
＜ステップＳ６４０＞
ステップＳ６４０で表示部１３０に表示された観察画面４００を更新する。ステップＳ６４０はステップＳ５２０と同じであるので、ここでの説明は省略する。
【００８８】
＜ステップＳ６４５＞
ステップＳ６４５で制御部１２３はＸＹスキャナ１１を制御し、ＸＹスキャナ１１は眼底正面画像を生成する為のＣスキャンにより第四の領域Ｒ４のＡスキャンデータの取得であるＣスキャン取得Ｄなる工程を行う。ここで、眼底正面画像用のＣスキャン取得Ｄは、第２スキャンパターンの最下段４分の１（領域Ｒ４）の輝度データを取得して正面画像を撮影する。画像生成部１２１は、Ｃスキャン取得Ｄによって得られた干渉信号をラインセンサー２７から取得し、領域Ｒ４の眼底正面画像を生成する。
【００８９】
制御部１２３は領域Ｒ４の眼底正面画像を記憶部１２２へ送り、記憶部１２２は、領域Ｒ４の眼底正面画像を記憶する。さらに、記憶部１２２にすでに残りの４分の３の眼底正面画像が記録されている場合は、画像生成部１２１は記憶部１２２からその残りの眼底正面画像を読み込み、全体の眼底正面画像を生成する。そして、画像生成部１２１は眼底正面画像を記憶部１２２へ送り、記憶部１２２は眼底正面画像を記憶する。
【００９０】
＜ステップＳ６５０＞
ステップＳ６５０で制御部１２３はＸＹスキャナ１１を制御し、ＸＹスキャナ１１は測定光にて眼底上で観察用Ｂスキャンを行う。ステップＳ６５０はステップＳ５１０と同じであるので、ここでの説明は省略する。
【００９１】
＜ステップＳ６５５＞
ステップＳ６５５で表示部１３０に表示された観察画面４００を更新する。ステップＳ６５５はステップＳ５２０と同じであるので、ここでの説明は省略する。
【００９２】
＜ステップＳ６６０＞
ステップＳ６６０で、制御部１２３は、操作者の操作を取得して、データ取得部１１０の制御を行う。ステップＳ６６０はステップＳ５６０と同じであるので、ここでの説明は省略する。
【００９３】
＜ステップＳ６６５＞
ステップＳ６６５で、制御部１２３は、操作者が測定開始ボタン４０６を押していないと判断した場合、フローはステップＳ６００へ戻り、観察画面４００の更新を再び行う。制御部１２３は、操作者が測定開始ボタン４０６を押したと判断した場合は、観察画面４００に表示されている観察撮影と観察画面との更新を中止し、ステップＳ６７０へ進む。
【００９４】
＜＜疑似ＳＬＯを保存、ｉｎｔｅｒｌａｃｅ縞がある場合は、取り直し＞＞
【００９５】
＜ステップＳ６７０＞
ステップＳ６７０で、制御部１２３はステップＳ６１０、ステップＳ６２５、ステップＳ６４０或いはステップＳ６５５で生成された眼底正面画像を、記憶部１２２に記憶する。この際に、生成された眼底正面画像に切断や不連続な領域ができているかどうかを調べる。眼底正面画像のそれぞれの領域（４分の１領域）の撮影の間に被検眼が動いた場合、領域内の撮影の途中に固視微動が起きた場合、または瞬きがあった場合には出来あがった眼底正面画像に不連続的な模様が発生する。本実施形態では、制御部１２３により、生成された眼底正面画像にこの様な不連続な模様ができた場合を不採用とする。
【００９６】
本実施形態で全てに出来た眼底正面画像が不採用となった場合は、制御部１２３は再びデータ取得部１１０を制御し、新たな眼底正面画像を撮影する。この際に、Ｃスキャンを領域に分けるのではなく、連続的にスキャンを行う。そして画像生成部１２１はその眼底正面画像を生成する。
【００９７】
なお、本実施形態では、眼底正面画像を記憶部１２２に保存したが、その他の記憶方法や媒体、たとえば、不図示の外部記録装置に保存しても良い。
【００９８】
以上の工程を経て、観察画面の更新処理を終了する。
【００９９】
なお、上記のステップＳ６１０、ステップＳ６２５、ステップＳ６４０及びステップＳ６５５ではそれぞれ眼底正面画像を４分の１ずつ更新する例を説明したが、本提案はそれに限らない。たとえば、ステップＳ６５５だけで眼底正面画像全体を更新する方法など、も良い。
【０１００】
なお、上記の説明では観察の眼底正面画像用の第２スキャンパターンを４分割にしたが、これに限らず、４分割から眼底正面画像を構成するＢスキャンの数まで分割しても良い。
【０１０１】
以上の構成によって、観察用断層画像の更新は、眼底正面画像の更新の４倍のレートで行われる。例として、本実施形態では眼底正面画像の解像度は１２８×１２８画素とすると、第２スキャンパターンは１２８個のＢスキャン、各Ｂスキャンは１２８個のＡスキャンからなる３Ｄスキャンとして構成される。さらに、４枚の観察用断層画像は各２５６個のＡスキャンで構成する。本実施形態では５００００Ａスキャン/秒の速度でＡスキャンによる断層画像が生成されると仮定すると、本実施形態での眼底正面画像の更新レートは約２．５ｆｐｓになる。また、観察断層画像の更新レートは約１０．３ｆｐｓになる。操作者はデータ取得部１１０の操作を行う際に主に観察断層画像を観察するので、操作者の操作はより快適に行えるという効果が得られる。
【０１０２】
〔３〕第３の実施形態 
第２の実施形態においては、眼底正面画像の第２スキャンパターンを４分割して観察眼底正面画像の撮影を行った。本実施形態では、眼底正面画像の第２スキャンパターンを２つの領域に分けて、さらに各領域を奇数ライン、偶数ラインに分けてスキャンをすることで観察断層画像の更新レートを上げる方法を説明する。
【０１０３】
本実施形態に係る眼科装置は第１の実施形態と同じあるので、ここでの説明を省略する。本実施形態の眼科装置による観察画面４００の更新処理は、第２の実施形態において示した図６のフローチャートを利用して、説明する。ただし、ステップＳ６００、ステップＳ６１５、ステップＳ６３０、ステップＳ６４５以外は同じであるので、ここでの説明を省略する。本実施形態では、これらステップについて、各々ステップＳ６００Ｂ、ステップＳ６１５Ｂ、ステップＳ６３０Ｂ、ステップＳ６４５Ｂと別名にしてその詳細を説明する。
【０１０４】
＜ステップＳ６００Ｂ＞
ステップＳ６００Ｂで、制御部１２３はＸＹスキャナ１１を制御し、ＸＹスキャナ１１は眼底正面画像を生成する為のＣスキャンにより第一の領域のＡスキャンデータの取得であるＣスキャン取得Ａなる工程を行う。ここで、眼底正面画像用のＣスキャン取得Ａは、第２スキャンパターンの上位半分の奇数ラインの輝度データを取得して正面画像を撮影する。画像生成部１２１は、Ｃスキャン取得Ａによって得られた干渉信号をラインセンサー２７から取得し、上位半分の奇数ラインの眼底正面画像を生成する。
【０１０５】
制御部１２３は上位半分の奇数ラインの眼底正面画像を記憶部１２２へ送り、記憶部１２２は上位半分の眼底正面画像を記憶する。さらに、記憶部１２２にすでに残りの眼底正面画像が記録されている場合は、画像生成部１２１は記憶部１２２からその残りの眼底正面画像を読み込み、全体の眼底正面画像を生成する。そして、画像生成部１２１は眼底正面画像を記憶部１２２へ送り、記憶部１２２は眼底正面画像を記憶する。
【０１０６】
＜ステップＳ６１５Ｂ＞
ステップＳ６１５Ｂで、制御部１２３はＸＹスキャナ１１を制御し、ＸＹスキャナ１１は眼底正面画像を生成する為のＣスキャンにより第一の領域のＡスキャンデータの取得であるＣスキャン取得Ｂなる工程を行う。ここで、眼底正面画像用のＣスキャン取得Ｂは、第２スキャンパターンの上位半分の偶数ラインの輝度データを取得して正面画像を撮影する。画像生成部１２１は、Ｃスキャン取得Ｂによって得られた干渉信号をラインセンサー２７から取得し、上位半分の偶数ラインの眼底正面画像を生成する。
【０１０７】
制御部１２３は上位半分の偶数ラインの眼底正面画像を記憶部１２２へ送り、記憶部１２２は、上位半分の偶数ラインの眼底正面画像を記憶する。さらに、記憶部１２２にすでに残りの眼底正面画像が記録されている場合は、画像生成部１２１は記憶部１２２からその残りの眼底正面画像を読み込み、全体の眼底正面画像を生成する。そして、画像生成部１２１は眼底正面画像を記憶部１２２へ送り、記憶部１２２は眼底正面画像を記憶する。
【０１０８】
＜ステップＳ６３０Ｂ＞
ステップＳ６３０Ｂで、制御部１２３はＸＹスキャナ１１を制御し、ＸＹスキャナ１１は眼底正面画像を生成する為のＣスキャンにより第二の領域のＡスキャンデータの取得であるＣスキャン取得Ｃなる工程を行う。ここで、眼底正面画像用のＣスキャン取得Ｃは、第２スキャンパターンの下位半分の奇数ラインの輝度データを取得して正面画像を撮影する。画像生成部１２１は、Ｃスキャン取得Ｃによって得られた干渉信号をラインセンサー２７から取得し、下位半分の奇数ラインの眼底正面画像を生成する。
【０１０９】
制御部１２３は下位半分の奇数ラインの眼底正面画像を記憶部１２２へ送り、記憶部１２２は、下位半分の奇数ラインの眼底正面画像を記憶する。さらに、記憶部１２２にすでに残りの眼底正面画像が記録されている場合は、画像生成部１２１は記憶部１２２からその残りの眼底正面画像を読み込み、全体の眼底正面画像を生成する。そして、画像生成部１２１は眼底正面画像を記憶部１２２へ送り、記憶部１２２は眼底正面画像を記憶する。
【０１１０】
＜ステップＳ６４５Ｂ＞
ステップＳ６４５Ｂで、制御部１２３はＸＹスキャナ１１を制御し、ＸＹスキャナ１１は眼底正面画像を生成する為のＣスキャンにより第二の領域のＡスキャンデータの取得であるＣスキャン取得Ｄなる工程を行う。ここで、眼底正面画像用のＣスキャン取得Ｄは、第２スキャンパターン下位半分の偶数ラインの輝度データを取得して正面画像を撮影する。画像生成部１２１は、Ｃスキャン取得Ｄによって得られた干渉信号をラインセンサー２７から取得し、下位半分の偶数ラインの眼底正面画像を生成する。
【０１１１】
制御部１２３は下位半分の偶数ラインの眼底正面画像を記憶部１２２へ送り、記憶部１２２は、下位半分の偶数ラインの眼底正面画像を記憶する。さらに、記憶部１２２にすでに残りの眼底正面画像が記録されている場合は、画像生成部１２１は記憶部１２２からその残りの眼底正面画像を読み込み、全体の眼底正面画像を生成する。そして、画像生成部１２１は眼底正面画像を記憶部１２２へ送り、記憶部１２２は眼底正面画像を記憶する。
【０１１２】
以上、本実施形態の観察画面の更新処理を終了する。
【０１１３】
なお、上記のステップＳ６００Ｂ、ステップＳ６１５Ｂ、ステップＳ６３０Ｂ及びステップＳ６４５Ｂではそれぞれ眼底正面画像を上位半分奇数ライン、上位半分偶数ライン、下位半分の奇数ライン、下位半分の偶数ラインの順番に更新する例を説明した。しかし、本実施形態の態様はそれに限らない。たとえば、上位半分の奇数ライン、下位半分の奇数ライン、上位半分偶数ライン、下位半分の偶数ラインの順番に更新する様式や、その他の順番からなる様式でも良い。
【０１１４】
なお、上記の第１の実施形態、第２の実施形態、第３の実施形態で説明した第２スキャンパターン（Ｃスキャン）の分割の例を示したが、その分割方法は、分割された第２スキャンパターンの間に第１のスキャンパターンを行うことが出来るなら、その他のパターンでも良い。
【０１１５】
以上の構成によって、観察用断層画像の更新は、眼底正面画像の更新の４倍のレートで行われる。例として、本実施形態では眼底正面画像の解像度は１２８×１２８画素とすると、第２スキャンパターンは１２８個のＢスキャン、各Ｂスキャンは１２８個のＡスキャンからなる３Ｄスキャンとして構成される。さらに、４枚の観察用断層画像は各２５６個のＡスキャンで構成する。本実施形態では５００００Ａスキャン/秒の速度でＡスキャンによる断層画像が生成されると仮定すると、本実施形態での眼底正面画像の更新レートは約２．５ｆｐｓになる。観察断層画像の更新レートは約１０．３ｆｐｓになる。操作者はデータ取得部１１０の操作を行う際に主に観察断層画像を観察するので、操作者の操作はより快適に行えるという効果が得られる。さらに、本実施形態の場合領域を小さくすることで奇数ライン撮影と偶数ライン撮影の間の時間が小さくなるので、同じ領域内での固視微動による不連続性の確立がすくなくなる、というも効果得られる。
【０１１６】
（その他の実施例）
本件は上記の実施例に限定されるものではなく、本発明の趣旨を逸脱しない範囲内において、種々の変形、変更して実施することができる。例えば、上記の実施例では、被検査物が眼の場合について述べているが、眼以外の皮膚や臓器等の被検査物に本発明を適用することも可能である。この場合、本発明は眼科装置以外の、例えば内視鏡等の医療機器としての態様を有する。従って、本発明は眼科装置に例示される検査装置として把握され、被検眼は被検査物の一態様として把握されることが望ましい。
【０１１７】
またコンピュータが読み出したプログラムコードを実行することにより、コンピュータ上で稼動しているオペレーティングシステム（ＯＳ）などが実際の処理の一部または全部を行い、その処理によって前述した実施例の機能が実現される場合も含まれる。
【０１１８】
さらに記録媒体から読み出したプログラムコードが、コンピュータ付属の機能拡張カードや機能拡張ユニット内のメモリに書込まれ、前記拡張カードや拡張ユニット内の演算装置が実際の処理の一部か全部を行い、前述の実施例の機能が実現される場合も含む。
【０１１９】
本発明を上記記録媒体に適用する場合、その記録媒体には、先に説明した図に対応したプログラムコードが格納されることになる。
【０１２０】
なお、上述した本実施の形態における記述は、本発明に係る好適な眼科装置に例示される検査装置の一例であり、本発明はこれに限定されるものではない。
【符号の説明】
【０１２１】
１１０  データ取得部
１２０  画像処理部
１３０  表示部
【図１】
2015213644.tif 000003
【図２】
2015213644.tif 000004
【図４】
2015213644.tif 000005
【図５】
2015213644.tif 000006
【図６】
2015213644.tif 000007
【図７】
2015213644.tif 000008
【図３】
2015213644.tif 000009